(57)【要約】【課題】ファイルの印刷において、排紙される用紙を頁群単位で容易に区別することができるプリンタ装置を提供する。【解決手段】プリンタ装置３は、Ａ４用紙が縦置きにセットされる第１の給紙部１５と、Ａ４用紙が横置きにセットされる第２の給紙部１７と、パソコン５に記憶されているファイルの印刷において、そのファイルの全頁の中からユーザにより選択された複数の頁群を、頁群クロス印刷で印刷する場合、画像を記録する用紙を給紙する給紙部として、頁群の印刷毎に第１の給紙部１５と第２の給紙部１７を交互に選択する選択部と、選択された給紙部から給紙される用紙に画像を記録する画像記録部１９と、選択された給紙部から給紙される用紙の縦横の向きと画像の縦横の向きが一致しなければ、その画像を９０°回転させて画像記録部１９に記録させる回転処理部と、画像記録部１９で画像が記録された用紙が排紙される排紙部４１と、を備える。【選択図】図１
2008279654.tif 000002
【特許請求の範囲】
【請求項１】
用紙が縦置きにセットされる第１の給紙部と、
前記第１の給紙部にセットされる用紙と同じサイズの用紙が横置きにセットされる第２の給紙部と、
ファイル印刷指示装置から印刷の指示がなされたファイルの印刷において、そのファイルの全頁の中からユーザにより選択された複数の頁群を、頁群クロス印刷で印刷する場合、画像を記録する用紙を給紙する給紙部として、頁群の印刷毎に前記第１の給紙部と前記第２の給紙部を交互に選択する選択部と、
前記選択部で選択された給紙部から給紙される用紙に画像を記録する画像記録部と、
前記選択部で選択された給紙部から給紙される用紙の縦横の向きと画像の縦横の向きが一致しなければ、その画像を９０°回転させて前記画像記録部に記録させる回転処理部と、
前記画像記録部で画像が記録された用紙が排紙される排紙部と、を備える
ことを特徴とするプリンタ装置。
【請求項２】
用紙が縦置きにセットされる第１の給紙部及び前記第１の給紙部にセットされる用紙と同じサイズの用紙が横置きにセットされる第２の給紙部を備えるプリンタ装置に対してファイルの印刷を指示するファイル印刷指示装置であって、
画像を記録する用紙として頁群の印刷毎に、前記第１の給紙部から給紙される用紙と前記第２の給紙部から給紙される用紙を交互に選択する頁群クロス印刷を前記プリンタ装置へ指示するための設定画面が表示される表示部と、
前記表示部に表示された設定画面上で、ユーザによってファイルの全頁の中から頁群クロス印刷の対象となる複数の頁群を選択する操作がされる操作部と、を備える
ことを特徴とするファイル印刷指示装置。
【請求項３】
ファイル印刷指示装置とプリンタ装置を含むファイル印刷システムであって、
前記ファイル印刷指示装置は、
頁群クロス印刷を前記プリンタ装置へ指示するための設定画面が表示される表示部と、
前記表示部に表示された設定画面上で、ユーザによってファイルの全頁の中から頁群クロス印刷の対象となる複数の頁群を選択する操作がされる操作部と、を備え、
前記プリンタ装置は、
用紙が縦置きにセットされる第１の給紙部と、
前記第１の給紙部にセットされる用紙と同じサイズの用紙が横置きにセットされる第２の給紙部と、
前記ファイル印刷指示装置から前記表示部に表示された設定画面上で選択された複数の頁群に対して頁群クロス印刷の指示がされた場合、画像を記録する用紙を給紙する給紙部として、頁群の印刷毎に前記第１の給紙部と前記第２の給紙部を交互に選択する選択部と、
前記選択部で選択された給紙部から給紙される用紙に画像を記録する画像記録部と、
前記選択部で選択された給紙部から給紙される用紙の縦横の向きと画像の縦横の向きが一致しなければ、その画像を９０°回転させて前記画像記録部に記録させる回転処理部と、
前記画像記録部で画像が記録された用紙が排紙される排紙部と、を備える
ことを特徴とするファイル印刷システム。
【請求項４】
用紙が縦置きにセットされる第１の給紙部と、
前記第１の給紙部にセットされる用紙と同じサイズの用紙が横置きにセットされる第２の給紙部と、
ファイル印刷指示装置から印刷の指示がなされたファイルを、ファイルクロス印刷で印刷する場合、画像を記録する用紙を給紙する給紙部として、ファイルの印刷毎に前記第１の給紙部と前記第２の給紙部を交互に選択する選択部と、
前記選択部で選択された給紙部から給紙される用紙に画像を記録する画像記録部と、
前記選択部で選択された給紙部から給紙される用紙の縦横の向きと画像の縦横の向きが一致しなければ、その画像を９０°回転させて前記画像記録部に記録させる回転処理部と、
前記画像記録部で画像が記録された用紙が排紙される排紙部と、を備える
ことを特徴とするプリンタ装置。
【請求項５】
用紙が縦置きにセットされる第１の給紙部及び前記第１の給紙部にセットされる用紙と同じサイズの用紙が横置きにセットされる第２の給紙部を備えるプリンタ装置に対してファイルの印刷を指示するファイル印刷指示装置であって、
画像を記録する用紙としてファイルの印刷毎に、前記第１の給紙部から給紙される用紙と前記第２の給紙部から給紙される用紙を交互に選択するファイルクロス印刷を前記プリンタ装置へ指示するための設定画面が表示される表示部と、
前記表示部に表示された設定画面上で、ユーザによってファイルクロス印刷の対象となる複数のファイルを選択する操作がされる操作部と、を備える
ことを特徴とするファイル印刷指示装置。
【請求項６】
ファイル印刷指示装置とプリンタ装置を含むファイル印刷システムであって、
前記ファイル印刷指示装置は、
ファイルクロス印刷を前記プリンタ装置へ指示するための設定画面が表示される表示部と、
前記表示部に表示された設定画面上で、ユーザによってファイルクロス印刷の対象となる複数のファイルを選択する操作がされる操作部と、を備え、
前記プリンタ装置は、
用紙が縦置きにセットされる第１の給紙部と、
前記第１の給紙部にセットされる用紙と同じサイズの用紙が横置きにセットされる第２の給紙部と、
前記ファイル印刷指示装置から前記表示部に表示された設定画面上で選択された複数のファイルに対してファイルクロス印刷の指示がされた場合、画像を記録する用紙を給紙する給紙部として、ファイルの印刷毎に前記第１の給紙部と前記第２の給紙部を交互に選択する選択部と、
前記選択部で選択された給紙部から給紙される用紙に画像を記録する画像記録部と、
前記選択部で選択された給紙部から給紙される用紙の縦横の向きと画像の縦横の向きが一致しなければ、その画像を９０°回転させて前記画像記録部に記録させる回転処理部と、
前記画像記録部で画像が記録された用紙が排紙される排紙部と、を備える
ことを特徴とするファイル印刷システム。
【発明の詳細な説明】
【技術分野】
【０００１】
本発明は、プリンタ装置、この装置に対してファイルの印刷を指示するファイル印刷指示装置及びこれらを含むファイル印刷システムに関する。
【背景技術】
【０００２】
コピー機やこの機能を有する複合機には、電子ソート機能を備えるものがある。電子ソートとは、複数枚からなる原稿を複数部コピーする際に、一部毎に仕分けて一つの排紙トレイに排紙することであり、これによればユーザはコピーされた用紙を並び替える手間を省くことができる。
【０００３】
電子ソートの応用として、縦置きにセットされた用紙を給紙するコピーと、横置きにセットされた同じサイズの用紙を給紙するコピーを組み合わせることにより、コピーされた用紙を部毎に縦横の向きを変えて排紙する機能（クロスソート）を備える画像形成装置が提案されている（例えば特許文献１参照）。クロスソートを利用すれば、例えば原稿を４部コピーすると、コピーされた用紙が、１部目は縦向き、２部目は横向き、３部目は縦向き、４部目は横向きに排紙される。このため、一つの排紙トレイに排紙しても、各部を容易に区別することができる。
【特許文献１】特開平１０−１７３９１０号公報
【発明の開示】
【発明が解決しようとする課題】
【０００４】
本発明の目的は、ファイルの印刷において、排紙される用紙を所定単位で容易に区別することができるプリンタ装置、ファイル印刷指示装置及びこれらを含むファイル印刷システムを提供することである。
【課題を解決するための手段】
【０００５】
本発明に係るプリンタ装置の第１態様は、用紙が縦置きにセットされる第１の給紙部と、前記第１の給紙部にセットされる用紙と同じサイズの用紙が横置きにセットされる第２の給紙部と、ファイル印刷指示装置から印刷の指示がなされたファイルの印刷において、そのファイルの全頁の中からユーザにより選択された複数の頁群を、頁群クロス印刷で印刷する場合、画像を記録する用紙を給紙する給紙部として、頁群の印刷毎に前記第１の給紙部と前記第２の給紙部を交互に選択する選択部と、前記選択部で選択された給紙部から給紙される用紙に画像を記録する画像記録部と、前記選択部で選択された給紙部から給紙される用紙の縦横の向きと画像の縦横の向きが一致しなければ、その画像を９０°回転させて前記画像記録部に記録させる回転処理部と、前記画像記録部で画像が記録された用紙が排紙される排紙部と、を備える。
【０００６】
本発明に係るファイル印刷指示装置の第１態様は、用紙が縦置きにセットされる第１の給紙部及び前記第１の給紙部にセットされる用紙と同じサイズの用紙が横置きにセットされる第２の給紙部を備えるプリンタ装置に対してファイルの印刷を指示するファイル印刷指示装置であって、画像を記録する用紙として頁群の印刷毎に、前記第１の給紙部から給紙される用紙と前記第２の給紙部から給紙される用紙を交互に選択する頁群クロス印刷を前記プリンタ装置へ指示するための設定画面が表示される表示部と、前記表示部に表示された設定画面上で、ユーザによってファイルの全頁の中から頁群クロス印刷の対象となる複数の頁群を選択する操作がされる操作部と、を備える。
【０００７】
本発明に係るファイル印刷指示装置の第１態様によれば、頁群クロス印刷で印刷する設定をすることができる。
【０００８】
本発明に係るファイル印刷システムの第１態様は、ファイル印刷指示装置とプリンタ装置を含むファイル印刷システムであって、前記ファイル印刷指示装置は、頁群クロス印刷を前記プリンタ装置へ指示するための設定画面が表示される表示部と、前記表示部に表示された設定画面上で、ユーザによってファイルの全頁の中から頁群クロス印刷の対象となる複数の頁群を選択する操作がされる操作部と、を備え、前記プリンタ装置は、用紙が縦置きにセットされる第１の給紙部と、前記第１の給紙部にセットされる用紙と同じサイズの用紙が横置きにセットされる第２の給紙部と、前記ファイル印刷指示装置から前記表示部に表示された設定画面上で選択された複数の頁群に対して頁群クロス印刷の指示がされた場合、画像を記録する用紙を給紙する給紙部として、頁群の印刷毎に前記第１の給紙部と前記第２の給紙部を交互に選択する選択部と、前記選択部で選択された給紙部から給紙される用紙に画像を記録する画像記録部と、前記選択部で選択された給紙部から給紙される用紙の縦横の向きと画像の縦横の向きが一致しなければ、その画像を９０°回転させて前記画像記録部に記録させる回転処理部と、前記画像記録部で画像が記録された用紙が排紙される排紙部と、を備える。
【０００９】
本発明に係るファイル印刷システムの第１態様によれば、頁群クロス印刷をすることができる。
【００１０】
本発明に係るプリンタ装置の第２態様は、用紙が縦置きにセットされる第１の給紙部と、前記第１の給紙部にセットされる用紙と同じサイズの用紙が横置きにセットされる第２の給紙部と、ファイル印刷指示装置から印刷の指示がなされたファイルを、ファイルクロス印刷で印刷する場合、画像を記録する用紙を給紙する給紙部として、ファイルの印刷毎に前記第１の給紙部と前記第２の給紙部を交互に選択する選択部と、前記選択部で選択された給紙部から給紙される用紙に画像を記録する画像記録部と、前記選択部で選択された給紙部から給紙される用紙の縦横の向きと画像の縦横の向きが一致しなければ、その画像を９０°回転させて前記画像記録部に記録させる回転処理部と、前記画像記録部で画像が記録された用紙が排紙される排紙部と、を備える。
【００１１】
本発明に係るファイル印刷指示装置の第２態様は、用紙が縦置きにセットされる第１の給紙部及び前記第１の給紙部にセットされる用紙と同じサイズの用紙が横置きにセットされる第２の給紙部を備えるプリンタ装置に対してファイルの印刷を指示するファイル印刷指示装置であって、画像を記録する用紙としてファイルの印刷毎に、前記第１の給紙部から給紙される用紙と前記第２の給紙部から給紙される用紙を交互に選択するファイルクロス印刷を前記プリンタ装置へ指示するための設定画面が表示される表示部と、前記表示部に表示された設定画面上で、ユーザによってファイルクロス印刷の対象となる複数のファイルを選択する操作がされる操作部と、を備える。
【００１２】
本発明に係るファイル印刷指示装置の第２態様によれば、ユーザは自己の選択した複数のファイルについて、ファイルクロス印刷で印刷する設定をすることができる。
【００１３】
本発明に係るファイル印刷システムの第２態様は、ファイル印刷指示装置とプリンタ装置を含むファイル印刷システムであって、前記ファイル印刷指示装置は、ファイルクロス印刷を前記プリンタ装置へ指示するための設定画面が表示される表示部と、前記表示部に表示された設定画面上で、ユーザによってファイルクロス印刷の対象となる複数のファイルを選択する操作がされる操作部と、を備え、前記プリンタ装置は、用紙が縦置きにセットされる第１の給紙部と、前記第１の給紙部にセットされる用紙と同じサイズの用紙が横置きにセットされる第２の給紙部と、前記ファイル印刷指示装置から前記表示部に表示された設定画面上で選択された複数のファイルに対してファイルクロス印刷の指示がされた場合、画像を記録する用紙を給紙する給紙部として、ファイルの印刷毎に前記第１の給紙部と前記第２の給紙部を交互に選択する選択部と、前記選択部で選択された給紙部から給紙される用紙に画像を記録する画像記録部と、前記選択部で選択された給紙部から給紙される用紙の縦横の向きと画像の縦横の向きが一致しなければ、その画像を９０°回転させて前記画像記録部に記録させる回転処理部と、前記画像記録部で画像が記録された用紙が排紙される排紙部と、を備える。
【００１４】
本発明に係るファイル印刷システムの第２態様によれば、ユーザは自己の選択した複数のファイルをファイルクロス印刷することができる。
【発明の効果】
【００１５】
本発明に係るプリンタ装置の第１態様によれば、頁群の印刷毎に第１の給紙部と第２の給紙部を交互に選択するので、縦置きにセットされた用紙が給紙されてその用紙に画像が記録されて排紙される場合と横置きにセットされた用紙が給紙されてその用紙に画像が記録されて排紙される場合とが、頁群の印刷毎に交互に繰り返されることになる（頁群クロス印刷）。よって、本発明に係るプリンタ装置の第１態様によれば、一つのファイルの印刷において、排紙された用紙を頁群単位で容易に区別することができる。なお、選択された給紙部から給紙される用紙の縦横の向きと画像の縦横の向きが一致しない場合、その画像を９０°回転させて画像記録部に記録させるので、画像が用紙からはみ出すことを防止できる。
【００１６】
本発明に係るプリンタ装置の第２態様によれば、ファイルの印刷毎に第１の給紙部と第２の給紙部を交互に選択するので、縦置きにセットされた用紙が給紙されてその用紙に画像が記録されて排紙される場合と横置きにセットされた用紙が給紙されてその用紙に画像が記録されて排紙される場合とが、ファイルの印刷毎に交互に繰り返されることになる（ファイルクロス印刷）。よって、本発明に係るプリンタ装置の第２態様によれば、排紙された用紙をファイル単位で容易に区別することができる。なお、選択された給紙部から給紙される用紙の縦横の向きと画像の縦横の向きが一致しない場合、その画像を９０°回転させて画像記録部に記録させるので、画像が用紙からはみ出すことを防止できる。
【発明を実施するための最良の形態】
【００１７】
本発明の実施形態について図面を用いて説明する。図１は、本実施形態に係るファイル印刷システム１の構成を示すブロック図である。ファイル印刷システム１は、プリンタ装置３及びこれとＬＡＮで接続された複数のパソコン５を備える。プリンタ装置３は、コピー、ファクシミリ、スキャナ及びプリンタの機能を有する複合機である。プリンタ装置３としては、複合機に限らず、プリンタ単体でもよい。
【００１８】
プリンタ装置３は、制御部１１、画像読取部１３、第１の給紙部１５、第２の給紙部１７、画像記録部１９、表示部２１、操作部２３、モデム２５、ＮＣＵ２７、ＲＯＭ２９、ＲＡＭ３１、画像メモリ３３、コーデック３５、ＬＡＮインターフェース３７等が相互にバス３９で接続された構成を有する。制御部１１は、例えばＣＰＵにより実現されており、プリンタ装置３を構成する上記ハードウェアを制御すると共にプリンタ装置３の動作に必要なソフトウェアを実行する。画像読取部１３は、ＣＣＤ等によって画像（文字、図、写真等）を読み取って画像データとして出力する。
【００１９】
第１の給紙部１５は、用紙が縦置きにセットされる給紙カセットであり、縦向きの用紙Ｐ１を画像記録部１９に給紙する。第２の給紙部１７は、第１の給紙部１５にセットされる用紙と同じサイズの用紙が横置きにセットされる給紙カセットであり、横向きの用紙Ｐ２を画像記録部１９に給紙する。ここでの用紙はＡ４サイズであるが、同じサイズを縦置きと横置きにセットできれば他のサイズでもよい（例えばＢ５サイズ）。第１の給紙部１５は、一つの給紙カセットにより構成してもよいし、複数の給紙カセットにより構成してもよい。第２の給紙部１７も同様である。
【００２０】
画像記録部１９は、電子写真方式等のプリンタであり、画像読取部１３から出力された画像データやファクシミリ通信により受信した別のファクシミリ装置からの画像データを画像に戻し、この画像が記録された用紙を排紙部４１に排紙する。また、パソコン５に記憶されているファイルを印刷する場合、画像記録部１９は、パソコン５から送られた印刷データをビットマップデータに変換し、それにより構成される画像を用紙に記録して排紙部４１に排紙する。画像記録部１９で画像が記録される用紙は、第１の給紙部１５、第２の給紙部１７、又はＡ３サイズやＢ４サイズの用紙がセットされた他の給紙部（図示せず）から給紙される。排紙部４１は具体的には排紙トレイである。
【００２１】
表示部２１は、プリンタ装置３の動作状態、相手先名、各種設定内容等を表示する。表示部２１は、ＬＣＤ、ＣＲＴ等で実現される。操作部２３は、プリンタ装置３の操作に必要なキー（テンキー、スタートキー、リセットキー、各種のファンクションキー等）を備える。
【００２２】
モデム２５は、通常のファクシミリ通信用のファクシミリモデムの機能を有する。また、モデム２５は、ＮＣＵ２７と直接に接続されている。ＮＣＵ２７は、公衆交換電話網（ＰＳＴＮ）に接続される電話回線とプリンタ装置３との接続を制御する機能の他に、通信相手の電話番号に応じたダイヤルパルスを送出する機能及び着信を検出する機能を有する。
【００２３】
ＲＯＭ２９は、フラッシュメモリ等により実現されており、プリンタ装置３の動作に必要なソフトウェアを記憶している。ＲＡＭ３１は、ＳＲＡＭ、ＤＲＡＭ等により実現されており、ソフトウェアの実行時に発生するデータを一時的に記憶したり、アプリケーションソフト等を記憶したりする。
【００２４】
画像メモリ３３は、ＤＲＡＭ等で実現されており、送信すべき画像データ、受信した画像データ、画像読取部１３から出力された画像データ等を一時的に記憶する。コーデック３５は、画像データを符号化圧縮すると共に符号化圧縮されている画像データを復号する。ＬＡＮインターフェース３７は、プリンタ装置３がＬＡＮと通信可能に接続するインターフェースである。このＬＡＮは、複数のパソコン５と接続されていると共にルータ４５を経由してインターネットと接続されている。
【００２５】
パソコン５は、プリンタ装置３に対してファイルの印刷を指示するファイル印刷指示装置として機能する。パソコン５は、記憶部５１、表示部５３、操作部５５及び制御部５７を備える。記憶部５１には、ファイルや各種プログラム等が記憶され、その機能はハードディスクドライブや半導体メモリ等で実現される。表示部５３では、記憶部５１に記憶されているファイルが開かれたり、インターネットから送られた各種サイトが表示されたり、頁群クロス印刷やファイルクロス印刷をプリンタ装置３へ指示するための設定画面が表示されたりする。表示部５３の機能は、液晶ディスプレイやＣＲＴ等で実現される。操作部５５でパソコン５の操作がユーザにより実行され、その機能はキーボートやマウスで実現される。表示部５３に表示された設定画面上で、頁群クロス印刷の対象となる複数の頁群を選択する操作やファイルクロス印刷の対象となる複数のファイルを選択する操作は、操作部５５で実行される。制御部５７は、記憶部５１、表示部５３及び操作部５５を制御し、その機能はＣＰＵにより実現される。
【００２６】
本実施形態において、パソコン５の記憶部５１に記憶されているファイルとは、具体的には、文書ファイルや画像ファイルのことである。文書ファイルは、例えば、ワープロソフトや図面ソフトで作成されたものや、インターネットからダウンロードされたものである。画像ファイルは、例えば、デジタルカメラで撮影されたものや、インターネットからダウンロードされたものである。
【００２７】
本実施形態でのファイルの印刷について、パソコン５Ａを例にして説明する。ユーザは、パソコン５Ａの記憶部５１に記憶されているファイルを印刷する場合、そのファイルを指定して表示部５３に表示された「印刷」をクリックする。これにより、パソコン５Ａのプリンタドライバが立ち上がり、パソコン５Ａの表示部５３には、図２に示す印刷画面が表示される。この画面左下の「クロス印刷」は、クロス印刷を設定する画面に切り替えるためのボタンである。クロス印刷とは、記憶部５１に記憶されているファイルを印刷する場合、第１の給紙部１５から給紙される用紙と第２の給紙部１７から給紙される用紙の両方を利用する印刷のことである。
【００２８】
図２の画面の「クロス印刷」をクリックすると、図３に示すクロス印刷画面に切り替わる。クロス印刷には、クロスソート印刷、頁群クロス印刷、ファイルクロス印刷の３種類がある。クロスソート印刷は、背景技術の欄で説明した印刷のことであり、説明を省略する。したがって、まず、頁群クロス印刷から説明する。
【００２９】
図４に示すように、クロス印刷画面において、「頁群クロス」の隣のラジオボタンをクリックしてから、「決定」をクリックすると、図５に示すように、頁群クロス印刷の画面に切り替わる。
【００３０】
頁群クロス印刷は、記憶部５１に記憶されている一つのファイルを対象とし、ユーザはそのファイルの全頁の中から印刷したい複数の頁群を選択する。図６に示すように、この例では、第１〜第３頁、第４〜第８頁、第１０〜第１１頁、第１５〜第１８頁が選択されている。「第１〜第３頁」、「第４〜第８頁」、「第１０〜第１１頁」、「第１５〜第１８頁」が、それぞれ一つの頁群である。
【００３１】
以上がパソコン５Ａでの頁群クロス印刷の設定である。図５及び図６に示す画面が、頁群クロス印刷をプリンタ装置３へ指示するための設定画面となる。上記の通り、この設定画面上で、ユーザによってファイルの全頁の中から頁群クロス印刷の対象となる複数の頁群を選択する操作がなされる。頁群の選択が終わり、「ＯＫ」をクリックすると、頁群クロス印刷の対象となるファイルはプリンタドライバで印刷データに変換され、その印刷データは頁群クロス印刷の命令と一緒に、図１に示すパソコン５ＡからＬＡＮを経由してプリンタ装置３へ送信される。そして、頁群クロス印刷が実行される。
【００３２】
頁群クロス印刷の実行について、図７に示すフローチャートで説明する。頁群クロス印刷の実行では、図１に示すプリンタ装置３の制御部１１、第１の給紙部１５、第２の給紙部１７、画像記録部１９、ＲＯＭ２９、ＲＡＭ３１、画像メモリ３３及び排紙部４１等が利用される。
【００３３】
先程説明した頁群クロス印刷の命令がパソコン５Ａからプリンタ装置３へ送信されると（ステップＳ１）、この命令と一緒に送信された印刷データが編集される（ステップＳ３）。具体的には、印刷の対象としてユーザにより選択された頁群を印刷データの中から抽出して、抽出した頁群に印刷する順番が割り当てられる。印刷する順番は、図６に示す頁群選択で、入力された頁群の左から数える。この例では、「第１〜第３頁」、「第４〜第８頁」、「第１０〜第１１頁」、「第１５〜第１８頁」を抽出して、この順番で印刷される。なお、パソコン５ＡのプリンタドライバでステップＳ３の処理をしてもよい。
【００３４】
ｎ＝１が記憶される（ステップＳ５）。ｎは第ｎ番目に印刷する頁群に割り当てられた番号である。第２の給紙部１７が選択される（ステップＳ７）。これは後で説明するように、第１番目に印刷する頁群の用紙として縦置きにセットされる用紙を用いるためである。第１番目に印刷する頁群の用紙として横置きにセットされる用紙を用いたければ、ステップＳ７で第１の給紙部１５を選択する設定をすればよい。
【００３５】
第１番目の頁群の印刷が開始される（ステップＳ９）。この例では第１〜第３頁の印刷が開始される。第１の給紙部１５が選択されていたか判断される（ステップＳ１１）。ステップＳ７で第２の給紙部１７を選択したので、ステップＳ１１はＮｏとなり、第１の給紙部１５が選択される（ステップＳ１３）。
【００３６】
第１番目の頁群の印刷データがビットマップデータに変換されて、それにより構成される画像の縦横の向きが、選択された給紙部から給紙される用紙の縦横の向きと一致するか判断される（ステップＳ１５）。一致しなければ、その画像を９０°回転処理させてから、用紙に記録するのである。これにより、画像が用紙からはみ出すことを防止している。
【００３７】
第１番目の頁群の印刷では、Ａ４サイズの用紙が縦置きにセットされている第１の給紙部１５が選択されているので、図１に示すように、縦向きＡ４サイズの用紙Ｐ１が画像記録部１９に給紙される。パソコン５Ａから送信された印刷データが、縦向きＡ４サイズで印刷する内容のデータとすれば、ステップＳ１５はＹｅｓとなり、画像を９０°回転処理することなく、第１の給紙部１５から給紙された用紙に記録して、排紙部４１に排紙する（ステップＳ１７）。
【００３８】
この例では、第１頁の画像が記録された用紙、第２頁の画像が記録された用紙、第３頁の画像が記録された用紙が、この順番で排紙部４１に排紙される。これにより、排紙部４１では、図８（Ａ）に示すように、縦向きの３枚のＡ４用紙が積み重ねられた状態になっている。
【００３９】
ｎ←ｎ＋１の処理が実行される（ステップＳ１９）。ｎ＝１なのでｎ＝２となる。ｎ＞ｋか否かの判断がされる（ステップＳ２１）。ｋは頁群の数である。この例ではｋ＝４である。したがって、ステップＳ２１ではＮｏと判定され、ステップＳ９に戻り、第２番目の頁群の印刷を開始する。この例では第４〜第８頁の印刷を開始する。
【００４０】
第１の給紙部１５が選択されていたか判断される（ステップＳ１１）。第１番目の頁群の印刷では第１の給紙部１５が選択されたので、Ｙｅｓとなり、第２の給紙部１７が選択される（ステップＳ２３）。
【００４１】
ステップＳ７、ステップＳ１１、ステップＳ１３及びステップＳ２３の選択は、図１に示す制御部１１、ＲＯＭ２９及びＲＡＭ３１で構成される選択部によって行われる。この選択部は、頁群クロス印刷で印刷する場合、画像を記録する用紙を給紙する給紙部として、頁群の印刷毎に第１の給紙部１５と第２の給紙部１７を交互に選択する機能を有する。
【００４２】
ステップＳ２３の後、ステップＳ１５へ進む。ステップＳ１５では、第２番目の頁群の印刷データがビットマップデータに変換されて、それにより構成される画像の縦横の向きが、給紙部から給紙される用紙の縦横の向きと一致するか判断される。第２番目の頁群の印刷では、Ａ４サイズの用紙が横置きにセットされている第２の給紙部１７が選択されている。このため、図１に示すように、横向きＡ４サイズの用紙Ｐ２が画像記録部１９に給紙される。上記の通り、パソコン５Ａから送信された印刷データは、縦向きＡ４サイズで印刷する内容のデータなので、ステップＳ１５はＮｏとなり、画像を９０°回転させる処理をする（ステップＳ２５）。
【００４３】
ステップＳ２５の回転処理は、制御部１１、ＲＯＭ２９、ＲＡＭ３１及び画像メモリ３３で構成される回転処理部で行われる。
【００４４】
画像を９０°回転させる処理を、回転させない処理と比較して説明する。図１５は、画像を回転させない処理（Ａ）と、画像を９０°回転させる処理（Ｂ）を説明する図である。画像メモリ３３中の「１」は黒色データのアドレスであり、「０」は白色データのアドレスとする。（Ａ）に示すように、縦向き用紙Ｐ１に画像を記録するとき、画像メモリ３３からデータを、横方向に上から順番｛（１）（２）（３）（４）｝に読み出す。そして、読み出したデータと共にこの読み出しと同じ方向・順番で印刷ヘッドを動作させて画像を記録する命令を画像記録部１９へ送る。これにより、回転処理されていない画像が縦向き用紙Ｐ１に記録される。図中のクロスハッチングは黒色を示している。
【００４５】
（Ｂ）に示すように、横向き用紙Ｐ２に画像を記録するとき、画像メモリ３３からデータを、縦方向に左から順番｛（１）（２）（３）｝に読み出す。そして、読み出したデータと共に横方向に下から順番｛（１）（２）（３）｝に印刷ヘッドを動作させて画像を記録する命令を画像記録部１９へ送る。これにより、９０°回転処理された画像が横向き用紙Ｐ２に記録される。
画像を回転させない処理と９０°回転させる処理は、例えば、関数「PRN_OnePage()」の中でフラグ「IsRotatePrint」を立てないか又は立てるかにより実行することができる。すなわち、フラグ「IsRotatePrint」が、「False」のときは画像を回転させない処理が実行され、「True」のときは画像を９０°回転させる処理が実行される。
【００４６】
回転処理した画像を、第２の給紙部１７から給紙された用紙に記録して、排紙部４１に排紙する（ステップＳ１７）。この例では、第４頁の画像が記録された用紙、第５頁の画像が記録された用紙、第６頁の画像が記録された用紙、第７頁の画像が記録された用紙、第８頁の画像が記録された用紙が、順番に排紙部４１に排紙される。よって、排紙部４１には、図８（Ｂ）に示すように、縦向き３枚のＡ４用紙の上に、横向き５枚のＡ４用紙が排紙されている。
【００４７】
同様に、第３番目の頁群、第４番目の頁群の印刷をする。第３番目の頁群の印刷では、図８（Ｃ）に示すように、横向き５枚のＡ４用紙の上に、縦向き２枚のＡ４用紙が排紙されている。第４番目の頁群の印刷では、図８（Ｄ）に示すように、縦向き２枚のＡ４用紙の上に、横向き４枚のＡ４用紙が排紙されている。
【００４８】
第４番目の頁群の印刷がされると、ステップＳ１９でｎ＝５となり、ステップＳ２１でＹｅｓとなり、頁群クロス印刷が終了する。
【００４９】
以上説明したように、頁群クロス印刷では、頁群の印刷毎に第１の給紙部１５と第２の給紙部１７を交互に選択するので、縦置きにセットされた用紙が給紙されてその用紙に画像が記録されて排紙される場合（つまり、用紙が縦向きに排紙される場合）と、横置きにセットされた用紙が給紙されてその用紙に画像が記録されて排紙される場合（つまり、用紙が横向きに排紙される場合）とが、頁群の印刷毎に交互に繰り返される。したがって、頁群クロス印刷をすれば、一つのファイルの印刷において、排紙された用紙を頁群単位で容易に区別することができる。
【００５０】
なお、図６に示すように、この例では、頁群を連続する複数の頁で構成しているが、不連続の複数の頁で構成してもよい。例えば、図６の「１−３」の替わりに「１・３」と入力すると、第１頁と第３頁で一つの頁群が構成される。また、頁群の全てが複数の頁で構成されているが、１頁で構成される頁群でもよい。
【００５１】
次に、ファイルクロス印刷について説明する。上記した頁群クロス印刷は、一つのファイルの印刷において、頁群の単位で、縦置きにセットされた用紙と横置きにセットされた用紙を交互に画像の記録に使用する印刷である。これに対して、ファイルクロス印刷は、複数のファイルの印刷において、ファイル単位で、縦置きにセットされた用紙と横置きにセットされた用紙を交互に画像の記録に使用する印刷である。
【００５２】
図９に示すように、クロス印刷画面において、「ファイルクロス」の隣のラジオボタンをクリックしてから、「決定」をクリックすると、図１０に示すように、ファイルクロス印刷の画面に切り替わる。画面には、ファイルクロス印刷の対象の一つとなるファイルＦ１が表示されている。ファイルＦ１は、図２の印刷画面を表示させる際に指定したファイルである。
【００５３】
図１１に示すように、ユーザは「ファイル選択」のタブを操作して、パソコン５Ａの記憶部５１に記憶されているファイルの中から、ファイルクロス印刷の対象となる他のファイルを選択する。この例では、他のファイルとしてファイルＦ２、ファイルＦ３が選択されている。頁群クロス印刷では、一つのファイルを対象とするので、ファイルの頁数が２頁以上でなければならない。これに対して、ファイルクロス印刷では、複数のファイルを対象とするので、ファイルの頁数は１頁でもよいし、２頁以上でもよい。
【００５４】
図１０及び図１１に示す画面が、ファイルクロス印刷をプリンタ装置３へ指示するための設定画面となる。上記の通り、この設定画面上で、ユーザによってファイルクロス印刷の対象となる複数のファイルを選択する操作がなされる。  
【００５５】
パソコン５Ａでのファイルクロス印刷の設定は、以上の通りである。「ＯＫ」をクリックすると、ファイルクロス印刷の対象となるファイルＦ１，Ｆ２，Ｆ３はプリンタドライバで印刷データに変換される。そして、印刷データはファイルクロス印刷の命令と一緒に、パソコン５ＡからＬＡＮを経由してプリンタ装置３へ送信されて、ファイルクロス印刷が実行される。
【００５６】
ファイルクロス印刷の実行について、図１２に示すフローチャートで説明する。頁群クロス印刷の実行と同様に、ファイルクロス印刷の実行では、図１に示すプリンタ装置３の制御部１１、第１の給紙部１５、第２の給紙部１７、画像記録部１９、ＲＯＭ２９、ＲＡＭ３１、画像メモリ３３及び排紙部４１等が利用される。
【００５７】
パソコン５Ａからプリンタ装置３へファイルクロス印刷の命令が送信されると（ステップＴ１）、ｎ＝１が記憶される（ステップＴ３）。ｎは第ｎ番目に印刷するファイルに割り当てられた番号である。ファイルを印刷する順番は、図１０及び図１１でファイルを選択した順番である。この例では、ファイルＦ１、ファイルＦ２、ファイルＦ３の順番で印刷される。
【００５８】
第２の給紙部１７が選択される（ステップＴ５）。この選択の理由は、図７のステップＳ７で説明している理由と同様である。第１番目のファイルの印刷が開始される（ステップＴ７）。この例ではファイルＦ１の印刷が開始される。そして、ステップＳ１１と同様に、第１の給紙部１５が選択されていたか判断される（ステップＴ９）。ステップＴ５で第２の給紙部１７を選択したので、ステップＴ９はＮｏとなり、第１の給紙部１５が選択される（ステップＴ１１）。
【００５９】
第１番目のファイルの印刷データがビットマップデータに変換されて、それにより構成される画像の縦横の向きが、選択された給紙部から給紙される用紙の縦横の向きと一致するか判断される（ステップＴ１３）。これはステップＳ１５と同様の処理であり、一致しなければ、その画像を９０°回転処理させてから用紙に記録する。
【００６０】
第１番目のファイルの印刷では、第１の給紙部１５が選択されているので、縦向きＡ４サイズの用紙Ｐ１が画像記録部１９に給紙される。パソコン５Ａから送信された印刷データが、縦向きＡ４サイズで印刷する内容のデータとすれば、ステップＴ１３はＹｅｓとなり、画像を９０°回転処理することなく、第１の給紙部１５から給紙された用紙に記録して、排紙部４１に排紙する（ステップＴ１５）。
【００６１】
この例では、図１３（Ａ）に示すように、５枚のＡ４用紙からなるファイルＦ１が、用紙を縦向きにして積み重ねられた状態になっている。
【００６２】
ステップＳ１９と同様に、ｎ←ｎ＋１の処理が実行され（ステップＴ１７）、ｎ＝１なのでｎ＝２となる。そして、ステップＳ２１と同様に、ｎ＞ｋか否か判断される（ステップＴ１９）。ファイルクロス印刷でのｋは、選択されたファイルの数である。この例ではｋ＝３である。したがって、ステップＴ１９ではＮｏと判定され、ステップＴ７に戻り、第２番目のファイルの印刷を開始する。この例ではファイルＦ２の印刷を開始する。
【００６３】
そして、頁群クロス印刷と同様に、第１の給紙部１５が選択されていたか判断される（ステップＴ９）。第１の給紙部１５が選択されていたので、Ｙｅｓとなり、第２の給紙部１７が選択される（ステップＴ２１）。
【００６４】
ステップＴ５、ステップＴ９、ステップＴ１１及びステップＴ２１の選択は、制御部１１、ＲＯＭ２９及びＲＡＭ３１で構成される選択部によって行われる。この選択部は、ファイルクロス印刷で印刷する場合、画像を記録する用紙を給紙する給紙部として、ファイルの印刷毎に第１の給紙部１５と第２の給紙部１７を交互に選択する機能を有する。
【００６５】
ステップＴ１３へ進む。このステップでは、第２番目のファイルの印刷データがビットマップデータに変換されて、それにより構成される画像の縦横の向きが、給紙部から給紙される用紙の縦横の向きと一致するか判断される。第２番目のファイルの印刷では、第２の給紙部１７が選択されているので、横向きＡ４サイズの用紙Ｐ２が画像記録部１９に給紙される。パソコン５Ａから送信された印刷データは、縦向きＡ４サイズで印刷する内容のデータであり、したがって、ステップＴ１３はＮｏとなり、画像を９０°回転させる処理をする（ステップＴ２３）。これは、ステップＳ２５と同じ処理である。
【００６６】
ステップＴ２３で回転処理された画像を、第２の給紙部１７から給紙された用紙に記録して、排紙部４１に排紙する（ステップＴ１５）。この例では、図１３（Ｂ）に示すように、ファイルＦ１を印刷した５枚のＡ４用紙の上に、ファイルＦ２を印刷した３枚のＡ４用紙が、横向きにして積み重ねられた状態になっている。
【００６７】
同様に、第３番目のファイルを印刷して排紙する。この例では、図１３（Ｃ）に示すように、ファイルＦ２を印刷した３枚のＡ４用紙の上に、１枚の用紙からなるファイルＦ３が用紙を縦向きにして排紙されている。
【００６８】
第３番目のファイルが印刷されると、ステップＴ１７でｎ＝４となり、この例では、ステップＴ１９がＹｅｓとなるので、ファイルクロス印刷が終了する。
【００６９】
以上のように、ファイルクロス印刷では、ファイルの印刷毎に第１の給紙部１５と第２の給紙部１７が交互に選択されるので、縦置きにセットされた用紙が給紙されてその用紙に画像が記録されて排紙される場合（つまり、用紙が縦向きに排紙される場合）と、横置きにセットされた用紙が給紙されてその用紙に画像が記録されて排紙される場合（つまり、用紙が横向きに排紙される場合）とが、ファイルの印刷毎に交互に繰り返される。よって、ファイルクロス印刷によれば、排紙された用紙をファイル単位で容易に区別することができる。
【００７０】
一つのパソコン５Ａに記憶されている複数のファイルをファイルクロス印刷で印刷する場合で説明したが、複数のパソコン５でもファイルクロス印刷が可能である。例えば、図１に示すパソコン５Ｂに記憶されているファイルＢ、パソコン５Ａに記憶されているファイルＡ、パソコン５Ｃに記憶されているファイルＣの順番で印刷命令がされると、排紙部４１には、縦向きのＡ４用紙（ファイルＢ）が排紙され、その上に横向きのＡ４用紙（ファイルＡ）が排紙され、その上に縦向きのＡ４用紙（ファイルＣ）が排紙される。この場合は、図１０及び図１１で説明したユーザによる複数のファイルを選択する操作が不要となる。
【００７１】
図１４は、複数のパソコン５でファイルクロス印刷をする場合のフローチャートである。図１２に示すフローチャートの処理と同じ処理については、同じ番号を付すことにより説明を省略する。複数のパソコン５でファイルクロス印刷する場合は、パソコン５での設定は必要なく、プリンタ装置３がファイルの印刷命令を受け付けた順でファイルの印刷毎に第１の給紙部１５と第２の給紙部１７を交互に選択する。
【００７２】
ファイルＢ、ファイルＡ、ファイルＣの順番で印刷命令された上記例でフローを説明する。パソコン５ＢからファイルＢの印刷命令がプリンタ装置３に送信されると（ステップＵ１）、直近のファイル印刷で選択した給紙部が第２の給紙部１７か否か判断される（ステップＵ３）。直近のファイル印刷で選択した給紙部が、第１の給紙部１５か又は第２の給紙部１７かの判断なので、ステップＵ３では、第１の給紙部１５か否かの判断でもよい。
【００７３】
この例では第２の給紙部１７が選択されていたとする。したがって、ステップＵ３でＹｅｓとなり、第１の給紙部１５が選択される（ステップＴ１１）。そして、ファイルＢの印刷が開始される（ステップＵ５）。ステップＴ１３及びステップ１５の処理がされて、排紙部４１にはファイルＢを印刷したＡ４用紙が縦向きに排紙される。
【００７４】
次に、ファイルＡの印刷命令が送信されると（ステップＵ１）、直近のファイル印刷（ここではファイルＢの印刷）で選択した給紙部が第１の給紙部１５なので、ステップＵ３でＮｏと判断されて、第２の給紙部１７が選択される（ステップＴ２１）。そして、ファイルＡの印刷が開始される（ステップＵ５）。ここでは、ステップＴ１３、ステップＴ２３及びステップＴ１５の処理がされて、ファイルＢを印刷した縦向きＡ４用紙の上に、ファイルＡを印刷した横向きＡ４用紙が排紙される。
【００７５】
ファイルＣも同様にして処理される。以上により、排紙部４１には下から順にファイルＢを印刷した縦向きのＡ４用紙、ファイルＡを印刷した横向きのＡ４用紙、ファイルＣを印刷した縦向きのＡ４用紙が積み重ねられる。
【００７６】
本実施形態では、パソコン５からプリンタ装置３に対して頁群クロス印刷やファイルクロス印刷を指示する対象となるファイルが、パソコン５の記憶部５１に記憶されている場合で説明した。しかしながら、頁群クロス印刷やファイルクロス印刷を指示する対象となるファイルは、パソコン５に装着される可搬型記憶媒体（例えばＵＳＢメモリ）や図１に示すＬＡＮに接続されたファイルサーバ（図示せず）等に記憶されているファイルでもよい。
【図面の簡単な説明】
【００７７】
【図１】本実施形態に係るファイル印刷システムの構成の一例を示すブロック図である。
【図２】本実施形態に係るパソコンに表示される印刷画面の一例を示す図である。
【図３】本実施形態に係るパソコンに表示されるクロス印刷画面の一例を示す図である。
【図４】図３に示すクロス印刷画面において、頁群クロス印刷が選択された状態を示す図である。
【図５】本実施形態に係るパソコンに表示される頁群クロス印刷画面の一例を示す図である。
【図６】図５に示す頁群クロス印刷画面において、複数の頁群の一例が選択された状態を示す図である。
【図７】本実施形態における頁群クロス印刷の一例の実行について説明するフローチャートである。
【図８】本実施形態における頁群クロス印刷の一例を実行して排紙された用紙の状態を説明する図である。
【図９】図３に示すクロス印刷画面において、ファイルクロス印刷が選択された状態を示す図である。
【図１０】本実施形態に係るパソコンに表示されるファイルクロス印刷画面の一例を示す図である。
【図１１】図１０に示すファイルクロス印刷画面において、複数のファイルの一例が選択された状態を示す図である。
【図１２】本実施形態におけるファイルクロス印刷の一例の実行について説明するフローチャートである。
【図１３】本実施形態におけるファイルクロス印刷の一例を実行して排紙された用紙の状態を説明する図である。
【図１４】本実施形態におけるファイルクロス印刷の他の例の実行について説明するフローチャートである。
【図１５】画像を回転させない処理と画像を９０°回転させる処理を説明する図である。
【符号の説明】
【００７８】
１・・・ファイル印刷システム、３・・・プリンタ装置、５，５Ａ，５Ｂ，５Ｃ・・・パソコン（ファイル印刷指示装置）、１１・・・制御部、１３・・・画像読取部、１５・・・第１の給紙部、１７・・・第２の給紙部、１９・・・画像記録部、２１・・・表示部、２３・・・操作部、２５・・・モデム、２７・・・ＮＣＵ、２９・・・ＲＯＭ、３１・・・ＲＡＭ、３３・・・画像メモリ、３５・・・コーデック、３７・・・ＬＡＮインターフェース、３９・・・バス、４１・・・排紙部、４５・・・ルータ、５１・・・記憶部、５３・・・表示部、５５・・・操作部、５７・・・制御部、Ｐ１・・・縦向き用紙、Ｐ２・・・横向き用紙
【図１】
2008279654.tif 000003
【図２】
2008279654.tif 000004
【図３】
2008279654.tif 000005
【図４】
2008279654.tif 000006
【図５】
2008279654.tif 000007
【図６】
2008279654.tif 000008
【図７】
2008279654.tif 000009
【図８】
2008279654.tif 000010
【図９】
2008279654.tif 000011
【図１０】
2008279654.tif 000012
【図１１】
2008279654.tif 000013
【図１２】
2008279654.tif 000014
【図１３】
2008279654.tif 000015
【図１４】
2008279654.tif 000016
【図１５】
2008279654.tif 000017